(57)【要約】【課題】  被測定者の測定を容易に行うことができ、測定結果を自動的に管理することのできる測定システムを提供する。【解決手段】  被測定者１の身体部位に装着され測定用パターン４が形成された測定ベルト２と、測定用パターン４の画像を読み取るイメージセンサ７、測定用パターン４のビット値のマッチングデータが記録されたメモリ８、読み取った測定用パターン４の位置を特定して測定値を算出するユニット制御部９、測定値を送信する通信部１１を備えた測定ユニット６と、測定ユニット６の通信部１１から送信される測定値を受信する通信部１４、測定値を管理するホスト制御部１７とを備えたホストコンピュータ１３と、を備えている。【選択図】      図２
2009254543.tif 000002
【特許請求の範囲】
【請求項１】
被測定者の身体部位に巻き付けて装着され長手方向に沿って一定の測定用パターンが形成された測定ベルトと、
前記測定用パターンの画像を読み取るイメージセンサと、前記測定用パターンのビット値のマッチングデータが記録されたメモリと、前記イメージセンサにより読み取られた前記測定用パターンから検出された配列パターンと前記マッチングデータとを比較することにより読み取った前記測定用パターンの位置を特定して測定値を算出するユニット制御部と、前記測定値を送信する通信部と、を備えた測定ユニットと、
前記測定ユニットの前記通信部から送信される測定値を受信する通信部と、前記通信部により受信した測定値を管理するホスト制御部と、を備えたホストコンピュータと、
を備えていることを特徴とする測定システム。
【請求項２】
前記測定用パターンは、位置特定符号系列であるＭ系列の測定用パターンであることを特徴とする請求項１に記載の測定システム。
【請求項３】
前記ホストコンピュータは、前記被測定者の個人認証を行う認証部を備えており、前記ホスト制御部は、前記測定ユニットから送られる測定値と前記認証部による個人情報とを関連付けて管理するものであることを特徴とする請求項１または請求項２に記載の測定システム。
【請求項４】
前記ホストコンピュータは、前記ホスト制御部で管理されている測定値を前記個人情報と関連付けて格納するデータベースを備えていることを特徴とする請求項３に記載の測定システム。
【請求項５】
前記測定ベルトを前記被測定者の身体部位に装着された状態で、前記測定ベルトに所定の張力を付与する張力付与手段を備えていることを特徴とする請求項１から請求項４のいずれか一項に記載の測定システム。
【請求項６】
前記被測定者の身体部位は、腹部であることを特徴とする請求項１から請求項５のいずれか一項に記載の測定システム。
【発明の詳細な説明】
【技術分野】
【０００１】
本発明は測定システムに係り、特に、被測定者の腹囲などの身体部位を効率よく測定することを可能とした測定システムに関するものである。
【背景技術】
【０００２】
近年、メタボリック症候群の検診を行うメタボ検診が義務化されるなど、健康管理に大きな関心が向けられており、一般には、メタボ検診や一般健康診断などにおいて、腹囲の測定が検査項目として挙げられている。この腹囲を測定する場合、従来は、医師や看護師などが巻き尺を用いて被測定者の腹囲を手作業で測定を行っていた。
【０００３】
しかしながら、手作業で腹囲の測定を行うのは、極めて面倒であり、しかも、医師など測定を行う者によって測定誤差が生じてしまい、正確な測定を行うことができないという問題があった。
【０００４】
そのため、従来から、第一装置部と第二装置部とを互いに分離した状態で、被測定者の腹囲周上を移動させて、各装置部で測定された移動距離に基づいて腹囲長を求めるとともに、インピーダンス測定部により被測定者の体幹部におけるインピーダンスを測定し、測定された腹囲長とインピーダンスを利用して、被測定者の体幹部脂肪を測定するようにした技術が開示されている（特許文献１参照）。
【特許文献１】特開２００７−１４５７９号公報
【発明の開示】
【発明が解決しようとする課題】
【０００５】
しかしながら、このような特許文献１に記載の発明においては、第一装置部と第二装置部とを互いに分離した状態で、被測定者の腹囲周上を移動させて測定を行う者であるため、やはり測定作業が面倒であり、しかも、被測定者に通電してそのインピーダンスを利用して体幹部脂肪を測定するものであるため、人体の悪影響が懸念される。
【０００６】
また、被測定者の腹囲の測定結果を表示するだけなので、会社や学校などにおける健康診断などのように被測定者が多い場合に、その測定結果をいちいちカルテに記入しなければならず、測定作業が面倒であるという問題を有しており、測定結果を自動的にデータ管理することのできるシステムが望まれていた。
【０００７】
本発明は前記した点に鑑みてなされたものであり、被測定者の測定を容易に行うことができ、測定結果を自動的に管理することのできる測定システムを提供することを目的とするものである。
【課題を解決するための手段】
【０００８】
本発明は前記目的を達成するために、請求項１に係る発明は、被測定者の身体部位に巻き付けて装着され長手方向に沿って一定の測定用パターンが形成された測定ベルトと、
前記測定用パターンの画像を読み取るイメージセンサと、前記測定用パターンのビット値のマッチングデータが記録されたメモリと、前記イメージセンサにより読み取られた前記測定用パターンから検出された配列パターンと前記マッチングデータとを比較することにより読み取った前記測定用パターンの位置を特定して測定値を算出するユニット制御部と、前記測定値を送信する通信部と、を備えた測定ユニットと、
前記測定ユニットの前記通信部から送信される測定値を受信する通信部と、前記通信部により受信した測定値を管理するホスト制御部と、を備えたホストコンピュータと、
を備えていることを特徴とする。
【０００９】
請求項２に係る発明は、請求項１において、前記測定用パターンは、位置特定符号系列であるM系列の測定用パターンであることを特徴とする。
【００１０】
請求項３に係る発明は、請求項１または請求項２において、前記ホストコンピュータは、前記被測定者の個人認証を行う認証部を備えており、前記ホスト制御部は、前記測定ユニットから送られる測定値と前記認証部による個人情報とを関連付けて管理するものであることを特徴とする。
【００１１】
請求項４に係る発明は、請求項３において、前記ホストコンピュータは、前記ホスト制御部で管理されている測定値を前記個人情報と関連付けて格納するデータベースを備えていることを特徴とする。
【００１２】
請求項５に係る発明は、請求項１から請求項４のいずれか一項において、前記測定ベルトを前記被測定者の身体部位に装着された状態で、前記測定ベルトに所定の張力を付与する張力付与手段を備えていることを特徴とする。
【００１３】
請求項６に係る発明は、請求項１から請求項５のいずれか一項において、前記被測定者の身体部位は、腹部であることを特徴とする。
【発明の効果】
【００１４】
請求項１に係る発明によれば、イメージセンサにより測定用パターンを読み取り、ユニット制御部により、この読み取った測定用パターンから検出された配列パターンとメモリに記録されたマッチングデータとを比較することにより読み取った前記測定用パターンの位置を特定して測定値を算出し、この測定値を通信部によりホストコンピュータに送信し、ホストコンピュータのホスト制御部により、通信部により受信した測定値を管理するようにしているので、自動的に被測定者の身体部位を測定することができ、しかも、ホストコンピュータにより被測定者の測定値を自動的に管理することができる。また、被測定者に通電したり、電磁波などを用いて測定を行うものではないので、人体に悪影響を与えることを防止することができる。
【００１５】
請求項２に係る発明によれば、測定用パターンを、位置特定符号系列であるＭ系列の測定用パターンとしているので、容易に、かつ確実に読み取った測定用パターンの位置を特定することができる。
【００１６】
請求項３に係る発明によれば、ホストコンピュータが被測定者の個人認証を行う認証部を備えて、ホスト制御部により、測定ユニットから送られる測定値と認証部による個人情報とを関連付けて管理するようにしているので、被測定者毎の測定値の管理を適正に行うことができる。
【００１７】
請求項４に係る発明によれば、ホストコンピュータがホスト制御部で管理されている測定値を個人情報と関連付けて格納するデータベースを備えているので、ホストコンピュータにより被測定者毎の測定値を管理、保存することができ、測定値データを有効に活用することができる。
【００１８】
請求項５に係る発明によれば、測定ベルトを被測定者の身体部位に装着された状態で、測定ベルトに所定の張力を付与する張力付与手段を備えているので、測定を行う者による測定誤差の発生を防止することができ、常に同条件で正確な測定を行うことができる。
【００１９】
請求項６に係る発明によれば、被測定者の身体部位である腹部を自動的に測定することができ、ホストコンピュータにより被測定者の測定値を自動的に管理することができる。
【発明を実施するための最良の形態】
【００２０】
以下、本発明の実施の形態について図面を参照しながら説明する。
【００２１】
図１は本発明に係る測定システムの実施形態を示す概略図である。本実施形態においては、本発明に係る測定システムを被測定者の身体部位として腹囲を測定する場合に適用した例について説明する。
【００２２】
本実施形態に係る測定システムは、被測定者１の腹部に装着される測定ベルト２と、測定ベルト２の基端部に取付けられ測定ベルト２の先端部分を挿通させて保持するためのバックル３とを備えている。測定ベルト２には、図２および図３に示すように、その長手方向に沿って一定の測定用パターン４が形成されており、この測定用パターン４は、それぞれ色の異なるマーカ５，５…を所定の順序で配列して構成されている。
【００２３】
この測定用パターン４としては、本実施形態においては、位置特定符号系列であるM系列(maximal-length sequences)の測定用パターン４が用いられている。図３に示すように、Ｍ系列の測定用パターン４は、青、赤、緑、黄などの複数の色のマーカ５に対してあらかじめ「１」または「０」のビット値を当てはめておき、この各色のマーカ５を所定のパターンで連続して配列して構成されている。このビット値の配列パターンは、マッチングデータとして記録しておく。そして、このマーカ５の画像を読み取り、このマーカ５からビット値の配列パターンを検出し、このビット値の配列パターンをあらかじめ記録されたマッチングデータと比較することにより、ビット値の配列パターンがマッチングデータのいずれの位置のパターンかを検出して、読み取った画像のマーカ５の位置を特定するものである。
【００２４】
そのため、測定ベルト２の基端部を基準位置（０位置）として、測定ベルト２の基準位置からの距離と測定用パターン４のマーカ５の位置とをあらかじめ対応させておくことにより、マーカ５の位置を特定することで、読み取り位置までの距離を計測することができるものである。
【００２５】
なお、「１」または「０」の２値のビット値の検出するためには、最低２色のマーカ５を形成すればよいが、「１」あるいは「０」に対応するマーカ５が連続して配列された場合に、各マーカ５の判別が困難であることから、本実施形態においては、複数色のマーカ５を用いるようにしている。また、図２および図３においては、便宜上、各色のマーカ５に対応させるため黒、斜線などで表している。
【００２６】
また、バックル３には、測定ユニット６が内蔵されており、測定ユニット６は、図２に示すように、バックル３に挿通させた測定ベルト２の測定用パターン４のマーカ５を読み取るための、例えば、ＣＣＤなどのイメージセンサ７を備えている。このイメージセンサ７による読み取り位置は、測定ベルト２の基準位置に対応する位置とされている。
【００２７】
このイメージセンサ７による測定用パターン４の読み取り範囲は、測定有効長を何ｃｍに設定するかにより異なる。例えば、測定精度を５ｍｍ以下とするためには、各マーカ５の幅寸法は、２．５ｍｍ以下とする必要がある。ここで、Ｍ系列の測定用パターン４においては、最大２n −１ビット（ｎはイメージセンサ７による読み取りマーカ５の数）での測定が可能となり、測定有効長は、（２n −１）×マーカ５の幅寸法となる。そのため、マーカ５の幅寸法が２．５ｍｍとすると、ｎ＝５のときの測定有効長は、７．７５ｃｍ、ｎ＝７のときの測定有効長は、３１．７５ｃｍとなる。したがって、イメージセンサ７によるマーカ５の読み取り数が多いほど、測定有効長を大きく確保することができ、ｎの値は、測定すべき範囲に応じて適宜設定すればよい。また、測定用パターン４の形成位置は、測定したい範囲に測定有効範囲が位置するように形成すればよく、例えば、メタボリック症候群の検査に適用する場合には、メタボリック症候群の診断基準である腹囲８５ｃｍ付近(男性の場合)に測定用パターン４の測定有効範囲が位置するように形成すればよい。
【００２８】
また、測定ユニット６は、ビット値の配列パターンのマッチングデータがあらかじめ記録されたメモリ８を備えている。さらに、測定ユニット６は、イメージセンサ７により読み取った測定用パターン４のマーカ５を画像処理することにより、読み取ったマーカ５のビット値の配列パターンを検出し、このビット値の配列パターンをメモリ８に記録されたマッチングデータと比較することにより、ビット値の配列パターンがマッチングデータのいずれの位置のパターンかを検出して読み取ったマーカ５の位置を特定するユニット制御部９を備えている。また、ユニット制御部９は、特定したマーカ５の位置に基づいて、基準位置からの距離を測定値として算出するように構成されている。
【００２９】
さらに、測定ユニット６は、ユニット制御部９による測定値を表示させる表示部１０を備えているとともに、この測定値をホストコンピュータ１３に無線で送信する通信部１１を備えている。また、測定ユニット６は、測定開始指示を入力するための操作入力部１２を備えている。
【００３０】
ホストコンピュータ１３は、測定ユニット６から送信される測定値を受信する通信部１４を備えている。ホストコンピュータ１３は、被測定者１の個人認証を行う認証部１５を備えており、認証部１５においては、例えば、被測定者１に装着したＲＦＩＤ（Radio Frequency Identification）のＩＣタグからの受信情報や指紋認証、静脈認証などの生体認証情報などにより被測定者１の個人認証を行うように構成されている。また、ホストコンピュータ１３は、ホストコンピュータ１３の所定の操作を行うキーボードあるいはマウスなどで構成される入力部１６を備えている。なお、この入力部１６により、被測定者１の個人情報を入力することにより、認証部１５により個人認証を行わせるようにしてもよい。
【００３１】
また、ホストコンピュータ１３は、通信部１４により受信した測定値を認証部１５により認証された個人情報と関連付けて管理するホスト制御部１７を備えており、ホストコンピュータ１３は、ホスト制御部１７で管理されている測定値を個人情報と関連付けて格納するデータベース１８および測定値を表示させる表示部１９をそれぞれ備えている。
【００３２】
次に、本発明の作用について図４に示すフローチャートを参照して説明する。
【００３３】
まず、ホストコンピュータ１３の認証部１５により、被測定者１の個人認証を行う（ＳＴ１）。被測定者１は、測定ベルト２の先端部をバックル３に挿通させることで、測定ベルト２を腹部に装着し、操作入力部１２を操作して測定開始指示を入力する。
【００３４】
測定開始指示が入力されると（ＳＴ２）、イメージセンサ７により測定用パターン４の基準位置にある複数のマーカ５の画像を読み取り（ＳＴ３）、この画像データをユニット制御部９に送る。ユニット制御部９は、イメージセンサ７により読み取った測定用パターン４のマーカ５を画像処理して、読み取ったマーカ５によるビット値の配列を検出する（ＳＴ４）。続いて、ユニット制御部９は、メモリ８に記録されたマッチングデータを取り出し、イメージセンサ７により読み取ったビット値の配列パターンとマッチングデータとを比較し（ＳＴ５）、ビット値の配列パターンがマッチングデータのいずれの位置のパターンかを検出し、読み取ったマーカ５の位置を特定する。さらに、ユニット制御部９は、特定したマーカ５の位置に基づいて、基準位置からの距離を算出して測定値を得る（ＳＴ７）。
【００３５】
その後、ユニット制御部９により、算出した測定値を表示部１０に表示させるとともに、通信部１１によりホストコンピュータ１３に送信する（ＳＴ８）。ホストコンピュータ１３が測定ユニット６から送信された測定値を受信したら、ホスト制御部１７により、この測定値を認証部１５により認証された個人情報と関連付けてデータベース１８に格納するとともに（ＳＴ９）、表示部１９に表示させる（ＳＴ１０）。
【００３６】
したがって、本実施形態においては、被測定者１が測定ベルト２を装着して測定開始指示を入力するだけで、測定用パターン４のマーカ５を読み取って自動的に腹囲を測定することができ、しかも、この測定値をホストコンピュータ１３に送信することにより、ホストコンピュータ１３により被測定者１の測定値を自動的に管理することができる。また、被測定者１に通電したり、電磁波などを用いて測定を行うものではないので、人体に悪影響を与えることもない。
【００３７】
また、ホストコンピュータ１３がホスト制御部１７で管理されている測定値を個人情報と関連付けて格納するデータベース１８を備えているので、ホストコンピュータ１３により被測定者１毎の測定値を管理、保存することができ、測定値データを有効に活用することができる。
【００３８】
なお、前記実施形態においては、測定ベルト２に形成された測定用パターン４として、位置特定符号系列であるM系列(maximal-length sequences)の測定用パターン４を用いた場合について説明したが、その他、Ｇｏｌｄ系列の測定用パターン４を用いるようにしてもよいし、バーコードで測定用パターン４を形成するようにしてもよい。
【００３９】
また、前記実施形態においては、測定ユニット６の通信部１１と、ホストコンピュータ１３の通信部１４とを無線により通信するようにしたが、各通信部１１，１４をケーブルにより接続し、有線により通信を行うようにしてもよい。
【００４０】
さらに、バックル３に測定ベルト２に所定の張力を付与する張力付与手段を設けるようにしてもよい。これは、例えば、測定ベルト２に長手方向に沿って連続した孔部を形成し、この孔部に噛合されるスプロケットをモータにより所定のトルクで回転させることにより、測定ベルト２に所定の張力を付与することができるものである。このように張力付与手段を設けることにより、測定を行う者による測定誤差の発生を防止することができ、常に同条件で正確な測定を行うことができる。このとき、測定ユニット６とホストコンピュータ１３とをケーブルにより接続する際に、モータの電源も供給するようにすれば、測定ユニット６にバッテリなどの駆動電力が不要となり、測定ユニット６の小型化を図ることが可能となる。
【００４１】
また、前記実施形態においては、測定ユニット６のユニット制御部９により、イメージセンサ７により読み取ったビット値の配列パターンとマッチングデータとを比較することにより、読み取ったマーカ５の位置を特定した後、基準位置からの距離を算出して測定値を得るようにしているが、イメージセンサ７により読み取ったビット値の配列パターンを通信部１１によりホストコンピュータ１３に送信し、ホストコンピュータ１３によりマッチングデータとの比較および測定値の算出を行うようにしてもよい。
【００４２】
さらに、前記実施形態においては、被測定者１の腹部を測定する場合について説明したが、測定ベルト２の長さを設定することにより、胸囲、腕回りの寸法などあらゆる箇所の身体部位の測定に適用することができる。
【００４３】
なお、本発明は上記実施形態に限定されるものではなく、本発明の趣旨に基づいて種々の変形が可能である。
【図面の簡単な説明】
【００４４】
【図１】本発明に係る測定システムの実施形態を示す概略図である。
【図２】本発明に係る測定システムの実施形態を示すブロック図である。
【図３】本発明に係る測定システムの実施形態の測定用パターンを示す説明図である。
【図４】本発明に係る測定システムの実施形態の動作を示すフローチャートである。
【符号の説明】
【００４５】
１  被測定者
２  測定ベルト
３  バックル
４  測定用パターン
５  マーカ
６  測定ユニット
７  イメージセンサ
８  メモリ
９  ユニット制御部
１０  表示部
１１  通信部
１２  操作入力部
１３  ホストコンピュータ
１４  通信部
１５  認証部
１６  入力部
１７  ホスト制御部
１８  データベース
１９  表示部
【図１】
2009254543.tif 000003
【図２】
2009254543.tif 000004
【図３】
2009254543.tif 000005
【図４】
2009254543.tif 000006